(57)【要約】【課題】  運転者の注意力を妨げない程度に、ある地域に関する情報を運転者が容易に作成することができる地域情報配信システムを提供する。【解決手段】  地域情報を保持する第1のサーバ１と、第1のサーバ１から配信された前記地域情報を提示する車載端末装置６とで構成される地域情報配信システムにおいて、地域関連情報を蓄積する第２のサーバ４を設け、車載端末装置６はある位置に関する前記地域関連情報を生成して第２のサーバ４へ送信し、第２のサーバ４は第1のサーバ１の前記地域情報と第２のサーバ４に蓄積された前記地域関連情報との関連付けを行い、第１のサーバ１はこの関連付けの情報を蓄積するものである。【選択図】  図１
2008009662.tif 000002
【特許請求の範囲】
【請求項１】
地域情報を保持する第1のサーバと、第1のサーバから配信された前記地域情報を提示する車載端末装置、とで構成される地域情報配信システムにおいて、地域関連情報を蓄積する第２のサーバを設け、前記車載端末装置はある位置に関する前記地域関連情報を生成して前記第２のサーバへ送信し、前記第２のサーバは前記第１のサーバの前記地域情報と前記第２のサーバに蓄積された前記地域関連情報との関連付けを行い、前記第１のサーバはこの関連付けの情報を蓄積することを特徴とする地域情報配信システム。
【請求項２】
前記第２のサーバは、前記地域関連情報を受信した後、前記第１のサーバが保持する前記地域情報の中から前記地域関連情報に関連する前記地域情報の所在を、前記地域関連情報をもとにして前記第１のサーバへ問い合わせ、前記第１のサーバは、前記地域情報の所在の情報を前記第２のサーバへ返信し、前記第２のサーバは、前記地域情報の所在の情報と前記地域関連情報との関連付け情報を生成するとともに、この関連付け情報を前記第１のサーバへ送信し、前記第１のサーバは前記関連付け情報を蓄積することを特徴とする請求項１に記載の地域情報配信システム。
【請求項３】
前記車載端末装置から送信される前記地域関連情報は、前記第１のサーバを経由して前記第２のサーバへ送信されると共に、前記第１のサーバは前記第２のサーバに蓄積された前記地域関連情報の所在と、前記第１のサーバが予め所持する前記地域情報との関連付けを行い、この関連付け情報を前記第１のサーバに蓄積することを特徴とする請求項１に記載の地域情報配信システム。
【請求項４】
前記車載端末装置は、過去の車両の走行位置を記憶しておき、前記車載端末装置の操作者の指示があった時点での車両位置、または所定時間を遡った時刻の車両位置、または指示時点での車両の位置から所定距離戻った地点の車両位置、または過去の車両の走行経歴より車両走行において特徴のある地点を分析抽出し、抽出された少なくとも１箇所以上の前記地点の中から前記操作者の指示によって決定された車両位置、のいずれか１つを前記地域関連情報の位置情報とする位置決定手段を具備することを特徴とする請求項１から３のいずれかに記載の地域情報配信システム。
【請求項５】
前記車載端末装置は、前記車載端末装置の操作者の操作によって生成されたテキスト情報、または前記操作者の発声によって生成された音声情報、または車両に具備された撮像装置によって生成された画像情報のうちの少なくとも１つを含むデータを前記地域関連情報として生成する手段を具備することを特徴とする請求項１から４のいずれかに記載の地域情報配信システム。
【請求項６】
前記車載端末装置の操作者の発声によって生成された音声情報を、音声認識によってテキスト情報へ変換する変換手段を、前記車載端末装置、または前記第２のサーバのいずれか一方が具備することを特徴とする請求項１から５のいずれかに記載の地域情報配信システム。
【発明の詳細な説明】
【技術分野】
【０００１】
本発明は、地域情報を配信するシステムに関し、特に地域情報を車載機から登録する方法に関するものである。
【背景技術】
【０００２】
地域情報を車載端末へ配信するシステムとして、様々な人が作成した情報をもとに地域情報を生成・提示するシステムが知られている。
【特許文献１】特開２００６−５９１０６号公報
【特許文献２】特開２００６−６５５３５号公報
【発明の開示】
【発明が解決しようとする課題】
【０００３】
従来のシステムでは、ある地域情報に対する様々な人の意見や感想、及び関連知識などの関連情報を生成・登録する場合には、Ｗｅｂブラウザを利用している。Ｗｅｂブラウザを利用した地域関連情報の生成は、情報の入力装置として主にキーボードやマウスを使用するため、運転中の複雑な操作ができない車両端末へ適用することは非常に困難である、といった問題点があった。
【０００４】
そこで本発明は、運転者の注意力を妨げない程度に、ある地域に関する情報を運転者が容易に作成することができる地域情報配信システムを提供することを目的とするものである。
【課題を解決するための手段】
【０００５】
本発明は、前述した課題を解決するために、地域情報を保持する第1のサーバと、第1のサーバから配信された前記地域情報を提示する車載端末装置、とで構成される地域情報配信システムにおいて、地域関連情報を蓄積する第２のサーバを設け、前記車載端末装置はある位置に関する前記地域関連情報を生成して前記第２のサーバへ送信し、前記第２のサーバは前記第１のサーバの前記地域情報と前記第２のサーバに蓄積された前記地域関連情報との関連付けを行い、前記第１のサーバはこの関連付けの情報を蓄積するものである。
【０００６】
また、前記第２のサーバは、前記地域関連情報を受信した後、前記第１のサーバが保持する前記地域情報の中から前記地域関連情報に関連する前記地域情報の所在を、前記地域関連情報をもとにして前記第１のサーバへ問い合わせ、前記第１のサーバは、前記地域情報の所在の情報を前記第２のサーバへ返信し、前記第２のサーバは、前記地域情報の所在の情報と前記地域関連情報との関連付け情報を生成するとともに、この関連付け情報を前記第１のサーバへ送信し、前記第１のサーバは前記関連付け情報を蓄積するものである。
【０００７】
また、前記車載端末装置から送信される前記地域関連情報は、前記第１のサーバを経由して前記第２のサーバへ送信されると共に、前記第１のサーバは前記第２のサーバに蓄積された前記地域関連情報の所在と、前記第１のサーバが予め所持する前記地域情報との関連付けを行い、この関連付けを表す情報を前記第１のサーバに蓄積するものである。
【０００８】
また、前記車載端末装置は、過去の車両の走行位置を記憶しておき、前記車載端末装置の操作者の指示があった時点での車両位置、または所定時間を遡った時刻の車両位置、または指示時点での車両の位置から所定距離戻った地点の車両位置、または過去の車両の走行経歴より車両走行において特徴のある地点を分析抽出し、抽出された少なくとも１箇所以上の前記地点の中から前記操作者の指示によって決定された車両位置、のいずれか１つを前記地域関連情報の位置情報とする位置決定手段を具備するものである。
【０００９】
また、前記車載端末装置は、前記車載端末装置の操作者の操作によって生成されたテキスト情報、または前記操作者の発声によって生成された音声情報、または車両に具備された撮像装置によって生成された画像情報のうちの少なくとも１つを含むデータを前記地域関連情報として生成する手段を具備するものである。
【００１０】
また、前記車載端末装置の操作者の発声によって生成された音声情報を、音声認識によってテキスト情報へ変換する変換手段を、前記車載端末装置、または前記第２のサーバのいずれか一方が具備するものである。
【発明の効果】
【００１１】
本発明は、運転者の注意力を妨げない程度に、ある地域に関する情報を運転者が容易に作成することが可能な地域情報配信システムを提供することができる。
【発明を実施するための最良の形態】
【００１２】
以下に、本発明の実施形態を添付図面に基づいて説明する。
【００１３】
図１において、地域情報配信システムは、第１のサーバであるＷｅｂサーバ１と、第２のサーバであるＷｅｂサーバ４と、車載端末装置６と、から構成されている。
【００１４】
本実施形態では、地域情報として、交通事故ではないが多くの運転手が車両走行中に危険を感じた地点を表すヒヤリハット情報を配信するものである。
【００１５】
Ｗｅｂサーバ１は、地域情報データベース２と、関連情報ＵＲＩ（Uniform Resource Identifier 以下、ＵＲＩという）データベース３とを備えており、公衆網７と接続している。Ｗｅｂサーバ１は、地域情報とその地域情報に関連する関連情報を配信するサーバである。
【００１６】
地域情報データベース２は、地域を特定する情報と、その地域に関する情報とを対に持つ地域情報を蓄積するものである。
【００１７】
ここで、地域を特定する情報とは、例えば、任意の地点を含む矩形領域で表し、対角２点の緯度・経度（矩形の北西端と南東端など）で地域を特定した情報です。なお、任意の地点を含むのは矩形領域に限らず、任意の地点を中心とする円領域で表し、中心点緯度経度と警告範囲半径（単位m）で地域を特定したものでもよい。
【００１８】
また、その地域に関する情報としては、例えば、ヒヤリハットする事象種別で、「カーブ注意」，「凍結注意」，「右折注意」，「追突注意（下り勾配などで減速しにくい個所など）」などです。あるいは、警報条件で、前記地点で警報を発するための走行状況の条件です。具体的には、60km/h以上で走行していたら警告、30〜60km/hで走行していたら準警告、30km/h未満で走行していたら警報なしなど、また、走行時の時刻が17:00〜20:00の間なら警報をするかなどの警報有無の条件です。
【００１９】
関連情報ＵＲＩデータベース３は、地域情報データベース２内に保持される地域情報に関連付けられたURIを保持するものである。なお、関連付けられたＵＲＩとは、地域情報には、ヒヤリハット地点を特定するためのＩＤを有し、このＩＤと前記URIとを関係付けたものです。このデータベースに格納されるＵＲＩ情報は、例えば関連情報が作成された時点で地域情報データベース２に対して関連付けを通知する機能（「トラックバック」とも呼ばれる）を利用して蓄積される。
【００２０】
Ｗｅｂサーバ４は、関連情報データベース５を備えており、公衆網７と接続している。Ｗｅｂサーバ４は、地域情報に関連した情報を配信するものである。
【００２１】
関連情報データベース５は、地域情報に関連した情報を蓄積するもので、この情報は、例えば、「何月何日の何時何分何秒に、××付近を50km/hで走行中、道路左側から子供が飛び出してきました。」という文章などからなるコンテンツである。
【００２２】
車載端末装置６は、公衆網７と接続している。操作者の指示に従って地域関連情報を生成するものである。
【００２３】
図２は、本発明の実施形態における、車載端末装置６の説明図である。
【００２４】
車載端末装置６は、車両の現在位置を検出するＧＰＳ１１、入力スイッチ１２、表示装置１３、操作者の発生した音声を取り込む音声入力部１４、カメラなどの撮像装置１５、プログラムおよび各種データを格納するＲＯＭ１６、各種プログラムやデータ等に基づいて各種の演算処理を行うＣＰＵ１７、表示データ、撮像データ、入力音声データ、テキストデータ、車両位置情報などを格納するＲＡＭ１８、公衆網７に接続する各種サーバと通信を行うための通信装置１９、車速センサ２０、音声出力部２１とで構成される。
【００２５】
次に、地域関連情報の生成登録手順について示す。なお、以下の説明においては、ヒヤリハット地点情報と、走行中に運転者が危険を感じた地点をヒヤリハット地点情報の関連情報として登録する手順を具体例として説明する。
【００２６】
まずは図３を用いて，車載端末装置６側での地域関連情報の生成手順を示す。
【００２７】
車載端末の操作者の指示があるまで、ＧＰＳ１１、および車速センサ２０から現時刻の車両位置、および車速を取得し、ＲＡＭ１８内の所定のアドレスに格納する（ステップＳ１０１）。
【００２８】
次に、ＲＡＭ１８内に格納されている過去から現在までの車速情報より、現時刻で車両が急減速されたかどうかを判断し、急減速されたと判断した場合にはＲＡＭ１８の所定のアドレスに現時刻の車両が急減速された旨の情報を記録する（ステップＳ１０２）。
【００２９】
車両端末の操作者が入力スイッチ１２を押下したら、地域関連情報の生成の指示があったとみなして、下記で述べる地域関連情報の生成処理を行う（ステップＳ１０３）。
【００３０】
表示装置１３に生成する地域関連情報の候補位置に関する情報を列挙表示し、表示と共に候補位置に関する情報を音声出力部２１で読み上げ、音声入力によって操作者に候補位置を選択してもらい、入力された音声データを音声認識処理し、位置を決定する（ステップＳ１０４）。
【００３１】
具体的には、表示装置１３には図４の画面を表示し、音声出力部２１からは、「情報を作成する位置を次の１，２，３の中から選択してください。１。約１５分前の１７：２０頃の走行地点。２。約８分前の１７：２７頃の走行地点。３。約５分前の１７：３０頃の走行地点。」を音声で出力する。
【００３２】
生成する情報の位置の決定後、表示装置１３に生成する情報の危険事象種別を列挙表示し、表示と共に危険事象種別を音声出力部２１で読み上げ、音声入力によって操作者に危険事象を選択してもらい、入力された音声データを音声認識処理して、危険事象を決定する（ステップＳ１０５）。
【００３３】
具体的には、表示装置１３には図５の画面を表示し、音声出力部２１からは、「危険を感じた事象の種別を次の１，２，３，４の中から選択してください。１。人が飛び出してきて危険を感じた。２。車と衝突しそうになって危険を感じた。３。スリップして危険を感じた。４。追い越ししてきた二輪車と接触しそうになって危険を感じた。」を音声で出力する。
【００３４】
危険事象を決定後、表示装置１３に生成する情報の危険発生方向種別を列挙表示し、表示と共に危険発生方向種別を音声出力部２１で読み上げ、音声入力によって操作者に危険方向を選択してもらい、入力された音声データを音声認識処理して、危険方向を決定する（ステップＳ１０６）。
【００３５】
具体的には、表示装置には図６の画面を表示し、音声出力部２１からは、「危険を感じた事象の発生方向を次の１，２，３の中から選択してください。１。車両の左側。２。車両前方。３。車両の右側。」を音声で出力する。
【００３６】
危険方向を決定後、ステップＳ１０５，Ｓ１０６で決定されたパラメータより，関連情報のテキストを生成する（ステップＳ１０７）。例えば、ステップＳ１０５で「人の飛び出し」が選択され、ステップＳ１０６で「車両の左側」が選択された場合は、「道路の左側から人が飛び出してきて、危険を感じました。」というテキストを生成する。
【００３７】
ステップＳ１０４で決定された位置と、ステップＳ１０７で生成されたテキストを、通信装置１９を経由して、サーバ４へ送信する。
【００３８】
次に、図７を用いて、本発明の第１の実施形態における地域関連情報の登録手順を示す。なお、第１の実施形態においては、Ｗｅｂサーバ１は位置情報からその位置に関する地域情報を検索して、前記地域情報のＵＲＩを返却する機能を有するものとする。
【００３９】
車載端末装置６はサーバ４へ、位置情報と生成した関連情報を伴った地域関連情報登録要求を送信する（ステップＳ２０１）。
【００４０】
地域関連情報登録要求を受信したサーバ４は、関連情報データベース５に関連情報を保存する（ステップＳ２０２）。
【００４１】
サーバ４は、地域関連情報登録要求に含まれる位置情報を伴った地域情報所在問い合わせ要求を、サーバ１に送信する（ステップＳ２０３）。
【００４２】
地域情報所在問い合わせ要求を受信したサーバ１は、地域情報データベース２から前記の所望位置の地域情報のＩＤを検索する（ステップＳ２０４，Ｓ２０５）。
【００４３】
サーバ１は、前記ＩＤをもとに地域情報の所在を表すＵＲＩを生成し、サーバ４へ前記ＵＲＩを返答する（ステップＳ２０７）。
【００４４】
サーバ４は、前記ＵＲＩとステップＳ２０２で格納した関連情報を閲覧するためのＵＲＩとを関連付ける情報を生成し、サーバ１へ関連付け情報登録要求を送信する（ステップＳ２０７）。なお、この関連付け情報と関連付け情報の登録要求は、ブログ（またはＷｅｂログ）で用いられるトラックバック機能を利用してよい。
【００４５】
関連付け情報を受信したサーバ１は、関連情報ＵＲＩデータベース３に関連付け情報を格納する（ステップＳ２０８）。
【００４６】
以上の手順で、車載機から送信された地域関連情報が登録され、予め地域情報データベース２に格納されている地域情報と関連付けられる。
【００４７】
次に、図８を用いて、本発明の第２の実施形態における地域関連情報の登録手順を示す。
【００４８】
車載機６はサーバ１へ、位置情報と生成された関連情報を伴った地域関連情報登録要求を送信する（ステップＳ３０１）。
【００４９】
サーバ１は、ステップＳ３０１で渡された位置を検索キーとして地域情報データベース２から前記位置に関する地域情報のＩＤを検索し，このＩＤをもとにして前記地域情報の所在を特定するＵＲＩを決定する（ステップＳ３０２，Ｓ３０３）。
【００５０】
地域情報登録要求を受信したサーバ１は、保存先ＵＲＩと関連情報を伴った地域関連情報保存要求をサーバ４へ送信する（ステップＳ３０４）。尚、この地域関連情報保存要求は、HTTP通信のPUTメソッドを利用して実現してもよい。
【００５１】
地域関連情報保存要求を受信したサーバ４は、関連情報を関連情報データベース５に保存する（ステップＳ３０５）。
【００５２】
サーバ１は、関連情報ＵＲＩデータベース３に関連付け情報を格納する（ステップＳ３０６）。
【００５３】
以上の手順で、車載機から送信された地域関連情報が登録され、予め地域情報データベース２に格納されている地域情報と関連付けられる。
【００５４】
尚、本発明の実施形態では、ヒヤリハット情報を地域情報として扱うものであったが、本発明にあっては、施設情報や店舗情報などのＰＯＩ（Point Of Interest）情報を地域情報として扱うものであっても良い。
【００５５】
尚、本発明の実施形態では、関連情報データベース５に格納された関連情報は車載端末６で生成されたものをそのまま保存していたが、本発明にあっては、車載端末６から関連情報の実体を生成するためのパラメータ群のみが送信され、関連情報の実体はサーバ１、またはサーバ４で生成するものであっても良い。
【００５６】
なお、前記各実施形態においては、車両位置として、所定時間を遡った時刻の車両位置を３つ列挙したものを説明したが、前記各実施形態に限定されるものではなく、例えば、前記操作者が入力スイッチを操作した（操作者の指示があった）時点での車両位置を提示してもよい。また、時間ではなく、指示時点での車両の位置から所定距離戻った地点の車両位置でもよく。また、過去の車両の走行経歴より車両走行において特徴のある地点を分析抽出し、この抽出された少なくとも１箇所以上の前記地点の中から前記操作者の指示によって決定された車両位置でもよい。
【００５７】
また、前記各実施形態においては、前記地域関連情報は、車載端末装置６の操作者の操作によって生成されたテキスト情報であったが、前記各実施形態に限定されるものではなく、前記操作者の発声によって生成された音声情報、または車両に具備された撮像装置によって生成された画像情報のみ、あるいは、複数の組み合わせであっても良い。
【００５８】
また、前記各実施形態においては、前記地域関連情報は、車載端末装置６の操作者の操作によって生成されたテキスト情報であったが、前記各実施形態に限定されるものではなく、前記操作者の発声によって生成された音声情報をもとに音声認識によってテキスト情報を生成するものであっても良い。
【図面の簡単な説明】
【００５９】
【図１】本発明の一実施形態としてのシステムの構成を表す図。
【図２】同上実施形態としての車載端末の構成を表す図。
【図３】同上実施形態としての地域関連情報の生成手順を表すフローチャート図。
【図４】同上実施形態の関連情報の位置を決定するための表示画面を示す図。
【図５】同上実施形態の関連情報の事象種別を決定するための表示画面を示す図。
【図６】同上実施形態の関連情報の事象発生方向を決定するための表示画面を示す図。
【図７】本発明の第１の実施形態における関連情報登録手順を示すシーケンス図。
【図８】本発明の第２の実施形態における関連情報登録手順を示すシーケンス図。
【符号の説明】
【００６０】
１  Ｗｅｂサーバ（地域情報配信サーバ）
２  地域情報データベース
３  関連情報ＵＲＩデータベース
４  Ｗｅｂサーバ（地域関連情報サーバ）
５  関連情報データベース
６  車載端末装置
７  公衆網（インターネット）
【図１】
2008009662.tif 000003
【図２】
2008009662.tif 000004
【図３】
2008009662.tif 000005
【図４】
2008009662.tif 000006
【図５】
2008009662.tif 000007
【図６】
2008009662.tif 000008
【図７】
2008009662.tif 000009
【図８】
2008009662.tif 000010